(57)【要約】【課題】照明器具をシーリングローゼット上に直接固定でき、照明器具を交換する際に予定外の穴開けを行う必要がないシーリングローゼット及び照明器具を提供する。【解決手段】固定トレーと、固定トレーと固定接続されている筐体とを含み、筐体は、底板と、底板を取り囲むように設けられた側壁を含み、側壁には切欠きが対称に設置されており、筐体内には係止素子及びグランドが設置されており、係止素子はグランドと底板の間に設置されており、係止素子は互いに当接して組み合わされているスライダ、バネ及びロックを含み、バネはロックが切欠きへ伸出するための動きを付勢し、スライダが摺動することで、ロックを切欠きから伸出または後退させることができる。照明器具をシーリングローゼット上に直接固定することができるので、照明器具を交換する際に予定外の穴開けを行う必要がなく、操作の難易度が低くなる。【選択図】図１
2020194692.tif 000002
【特許請求の範囲】
【請求項１】
固定トレーと、前記固定トレーと固定接続されている筐体とを含み、前記筐体は、底板と、前記底板を取り囲むように設けられている側壁を含み、前記側壁には切欠きが対称に設けられ、前記筐体内には係止素子及びグランドが設置され、前記係止素子は前記グランドと前記底板の間に設置され、前記係止素子は互いに当接して組み合わされているスライダ、バネ及びロックを含み、前記バネは前記ロックが前記切欠きへ伸出するための動きを付勢し、前記スライダが摺動して、前記ロックを前記切欠きへ伸出または後退させることができることを特徴とする、シーリングローゼット。
【請求項２】
前記係止素子はつまみをさらに含み、前記つまみは前記底板の外側に設置され、かつ前記スライダと固定接続されていることを特徴とする、請求項１に記載のシーリングローゼット。
【請求項３】
前記係止素子はロックピンをさらに含み、前記ロックピンは、プッシュロッドと、前記プッシュロッドの片端に設置されている当接部を含み、前記プッシュロッドは前記つまみと固定接続されており、前記当接部は前記ロックに当接するために用いられることを特徴とする、請求項２に記載のシーリングローゼット。
【請求項４】
前記ロックは対向して設置されている第１突起及び第２突起を含み、前記グランド上には前記第１突起に対応する第１凹溝が設置され、前記底板上には前記第２突起に対応する第２凹溝が設置されており、前記第１凹溝と前記第２凹溝の延伸方向が一致していることを特徴とする、請求項２に記載のシーリングローゼット。
【請求項５】
前記ロックは第１斜面を含む台座をさらに含み、前記スライダは第２斜面を有する延伸部を含み、前記第１斜面が前記第２斜面に対向して摺動することにより、前記ロックを前記第１凹溝の延伸方向に沿って摺動させることを特徴とする、請求項４に記載のシーリングローゼット。
【請求項６】
前記スライダは第３凹溝を含み、前記底板上には第３突起が対応して設けられ、前記第３凹溝の延伸方向が前記第１凹溝の延伸方向に垂直であることを特徴とする、請求項５に記載のシーリングローゼット。
【請求項７】
前記固定トレーは頂部が開口しているキャビティを含み、前記キャビティの開口辺縁において取付パネルが外向きに延伸して設置されており、前記キャビティ底部にノッチが設置されていることを特徴とする、請求項１〜６の任意の１項に記載のシーリングローゼット。
【請求項８】
前記キャビティ底部、前記グランド及び前記底板が、ボルトによって固定接続されていることを特徴とする、請求項７に記載のシーリングローゼット。
【請求項９】
前記シーリングローゼットが接線端子をさらに含み、前記接線端子は前記グランド上に設置され、かつ前記ノッチを通過して前記キャビティ内に配置されていることを特徴とする、請求項８に記載のシーリングローゼット。
【請求項１０】
取付ベース及びシェードと、請求項１ないし９のうちの１項に記載のシーリングローゼットを含み、前記取付ベースと前記シーリングローゼットが着脱可能に接続されていることを特徴とする、照明器具。
【発明の詳細な説明】
【技術分野】
【０００１】
本発明は照明器具の技術分野に関し、具体的にはシーリングローゼット及び照明器具に関する。
【背景技術】
【０００２】
シーリングライトは、天井に取り付けまたは嵌め込まれた装飾照明であり、吊り下げ照明と同様に、室内の主な照明設備として家庭やオフィス、娯楽施設など様々な場所に、非常に幅広く利用されている。
【０００３】
既存の技術では、シーリングライトを取り付ける場合、通常は専門の技師がシーリングライトを天井に配置し、取付を必要とする位置を定め、定めた取付位置に基づいて天井に穴を開ける。穴を開けた後、膨張管を埋め込み、それに対応するベースを配置し、かつエクスパンションネジを用いてベースを設置して固定し、さらに蛍光灯管とシェードを取り付けることによって、正常に使用することができる。
【０００４】
しかし、既存の照明器具の取付固定穴の位置には統一した基準がなく、異なる照明器具に交換する際には、改めて位置決めし、穴を開け、照明器具を取り付けるという一連の操作が必要である。穴を開け直すことで、天井を何度も損傷することになり、しかも穴開けの過程では大きな騒音が発生するので、住民に多大な迷惑をかけ、落下した屑を片付けることも容易ではなく、交換が困難になるので、シーリングライトの交換には適さない。
【発明の概要】
【発明が解決しようとする課題】
【０００５】
本発明の目的は、照明器具をシーリングローゼット上に直接固定でき、照明器具を交換する際に予定外の穴開けを行う必要がなく、操作の難易度が低くなるシーリングローゼット及び照明器具を提供することである。
【課題を解決するための手段】
【０００６】
本発明の実施例は、次のように実施される。
【０００７】
本発明の１つの実施例では、固定トレーと、固定トレーと固定接続された筐体とを含むシーリングローゼットが提供されており、筐体は、底板と、底板を取り囲むように設けられている側壁を含み、側壁には切欠きが対称に備えられ、筐体内には係止素子及びグランドが設置され、係止素子はグランドと底板の間に配置されており、係止素子は互いに当接して組み合わされているスライダ、バネ及びロックを含み、バネはロックが切欠きへ伸出するための動きを付勢し、スライダが摺動することで、ロックの切欠きに対する伸出または後退を可能にしている。
【０００８】
好適には、係止素子はつまみをさらに含み、つまみは底板の外側に設置され、かつスライダと固定接続されている。
【０００９】
好適には、係止素子はロックピンをさらに含み、ロックピンは、プッシュロッドと、プッシュロッドの片端に設置されている当接部を含み、プッシュロッドはつまみと固定接続されており、当接部はロックに当接するために用いられる。
【００１０】
好適には、ロックは、対向して設置されている第１突起及び第２突起を含み、グランド上には第１突起に対応する第１凹溝が設置され、底板上には第２突起に対応する第２凹溝が設置されており、第１凹溝と第２凹溝の延伸方向は一致している。
【００１１】
好適には、ロックは台座をさらに含み、台座は第１斜面を含み、スライダは第２斜面を有する延伸部を含み、第１斜面が第２斜面に対向して摺動することにより、ロックを第１凹溝の延伸方向に沿って摺動させる。
【００１２】
好適には、スライダは第３凹溝を含み、底板上には第３突起が対応して設置されており、第３凹溝の延伸方向は第１凹溝の延伸方向に垂直である。
【００１３】
好適には、固定トレーは頂部が開口しているキャビティを含み、キャビティの開口辺縁において取付パネルが外向きに延伸して設置されており、キャビティ底部にノッチが設けられている。
【００１４】
好適には、キャビティ底部、グランド及び底板は、ボルトによって固定接続されている
好適には、シーリングローゼットは接線端子をさらに含み、接線端子はグランド上に設置され、かつノッチを通過してキャビティ内に配置されている。
【００１５】
本発明のもう１つの実施例では、取付ベース及びシェードと、上記の任意の１項に記載のシーリングローゼットとを含む照明器具を提供しており、取付ベースはシーリングローゼットと着脱可能に接続されている。
【発明の効果】
【００１６】
本発明の実施例の有益な効果は次の通りである。
【００１７】
本発明の実施例で提供するシーリングローゼット及び照明器具は、固定トレーによってシーリングローゼットを天井に固定し、シーリングローゼットに必要な支持を提供している。固定トレーと固定接続された筐体と、筐体内に設置された係止素子により、筐体側壁から伸出するロックに、照明器具と接続して支持するキャリアを支えさせるので、照明器具のメンテナンスや交換がしやすい。筐体内に設置されたグランドにより、係止素子を底板とグランドの間に位置させるので、係止素子の構造の安定性を維持することにいっそう役立つ。また、底板の外側に設置されたつまみにより、スライダをより軽く動かして、ロックを切欠きに後退させることができるので、取り付けた照明器具を取り外すことにも役立つ。
【００１８】
本発明の実施例の技術的解決手段をより明確に説明するために、以下では、実施例に対する説明の中で使用する必要のある図面について簡単に紹介しているが、添付の図面は本発明のいくつかの実施例を示しているだけなので、範囲に対する限定と見なしてはならず、当業者にとっては、創造的な労働を行わないという前提において、これらの図面に基づいて、他の関連図面を得ることもできることを理解しておかなければならない。
【図面の簡単な説明】
【００１９】
【図１】図１は本発明の実施例で提供するシーリングローゼットの構造概略図である。
【図２】図２は本発明の実施例で提供するシーリングローゼットの構造分解図である。
【図３】図３は本発明の実施例で提供する係止素子の構造概略図である。
【図４】図４は本発明の実施例で提供するロックの構造概略図である。
【図５】図５は本発明の実施例で提供するグランドの構造概略図である。
【図６】図６は本発明の実施例で提供する筐体の構造概略図である。
【図７】図７は本発明の実施例で提供する固定トレーの構造概略図である。
【発明を実施するための形態】
【００２０】
本発明の実施例の目的、技術的解決手段及び長所をより明確にするために、以下では本発明の実施例中の図面と結び付けて、本発明の実施例における技術的解決手段に対して明確で完全な説明を行うが、もちろん、説明する実施例は本発明の実施例の一部であって、すべてではない。通常、ここでの図面で描写及び表示されている本発明の実施例の素子は、様々な配置によりセッティング及び設定することができる。
【００２１】
よって、以下で図面により提供している本発明の実施例の詳細な描写は、保護を請求している本発明の範囲を限定するものではなく、本発明で選定した実施例を表しているにすぎない。本発明の実施例に基づき、当業者が、創造的な労働を行わないという前提において獲得したその他のすべての実施例は、本発明の保護範囲に属する。
【００２２】
類似する記号や符号は、以下の図面では類似する項目を表しているので、ある項目がある図面の中で定義された場合、その後の図面ではそれに対するさらなる定義や解釈を行う必要はないことに注意しなければならない。
【００２３】
本発明の記述において説明しておかなければならないのは、用語の「中心」、「上」、「下」、「左」、「右」、「垂直」、「水平」、「内」、「外」などが指す方位または位置関係は、図面に示す方位または位置関係に基づいているか、または該発明の製品を使用する際に常に置く方位または位置関係に基づいており、本発明を記述し、記述を簡略化するためのものにすぎず、それらが指す装置や素子が必ずしも特定の方位を有し、特定の方位により構成され、操作されることを示したり、暗示したりするものではないので、本発明に対する限定と理解することはできない。また、用語の「第１」、「第２」、「第３」なども、記述を区分するものにすぎず、相対的な重要性を指示または暗示するものと理解することはできない。
【００２４】
また、用語の「水平」、「垂直」などは、部材が絶対的に水平または垂直であることを要求しているわけではなく、若干傾斜していてもよい。例えば、「水平」はその方向が「垂直」に体して水平であることを指しているにすぎず、該構造が必ずしも完全に水平でなければならないわけではなく、若干傾斜していてもよい。
【００２５】
本発明の記述において、説明しておかなければならないが、別途明確な規定及び限定がある場合を除き、用語の「設置」、「取付」、「連結」、「接続」は広義に理解しなければならない。例えば、固定接続でもよいし、着脱可能な接続でもよいし、一体的な接続でもよい。また、機械接続でもよいし、電気的接続でもよい。また、直接的な連接でもよいし、中間媒体を介した間接的な連接でもよいし、２つの素子内部の連通でもよい。当業者であれば、具体的な状況により、上記の用語の本発明における具体的な意味を理解することができる。
【００２６】
図１及び図２を参照すると、本発明の実施例では、固定トレーと１１０、固定トレー１１０と固定接続された筐体１２０とを含むシーリングローゼット１００を提供しており、図６に示すように、筐体１２０は、底板１２２と、底板１２２を取り囲むように接続されている側壁１２４を含み、側壁１２４には切欠き１２６が対称に設置されている。筐体１２０内には係止素子１４０及びグランド１３０が設置されており、係止素子１４０はグランド１３０と底板１２２の間に設置されており、図３に示すように、係止素子１４０は互いに当接して組み合わされているスライダ１４４、バネ１４６及びロック１４２を含み、バネ１４６はロック１４２が切欠き１２６へ伸出するための動きを付勢し、スライダ１４４が摺動することで、ロック１４２を切欠き１２６から伸出または後退させることができる。
【００２７】
実施例に示すように、バネ１４６には圧縮バネを採用することができ、バネ１４６の片端はロック１４２と当接し、他端は筐体１２０に当接している。図３に示すように、ロック１４２上には第１タブ１４８が設置され、圧縮バネ１４６の片端が第１タブ１４８に当接しており、図６に示すように、筐体１２０上には第２タブ１２７が設けられ、圧縮バネ１４６の他端が第２タブ１２７に当接している。また、ロック１４２上には斜面も設けられており、照明器具を取り付ける際に、照明器具がロック１４２上の斜面に接触し、力の作用下でバネ１４６を圧縮させることで、ロック１４２が後退し、照明器具の突起位置がロック１４２を通り越し、その後、ロック１４２が力の作用を受けなくなり、バネ１４６が弾性変形を回復し、ロック１４２を外向きに動かし、ロック１４２と照明器具を係止させて、固定及び支持の作用を果たす。
【００２８】
説明しておかなければならないが、本発明の実施例では、固定トレー１１０と筐体１２０の形状について具体的に限定していない。実施例に示すように、図２では、固定トレー１１０及び筐体１２０は円形に設置することもできるし、矩形に設置することもでき、照明器具を楽に取り付け、取り外すことができさえすれば、照明器具の型番の違いによって臨機応変に設置すればよい。
【００２９】
本発明の実施例で提供するシーリングローゼット１００は、固定トレー１１０を介してシーリングローゼット１００を天井に固定することで、シーリングローゼット１００のために必要な指示を提供している。固定トレー１１０と固定接続された筐体１２０と、筐体１２０内に設置された係止素子１４０により、筐体１２０側壁１２４から伸出するロック１４２に、照明器具と接続して支持するキャリアを支えさせるので、照明器具のメンテナンスや交換がしやすい。筐体１２０内に設置されたグランド１３０により、係止素子１４０を底板１２２とグランド１３０の間に位置させているので、係止素子１４０の構造の安定性を維持することにいっそう役立つ。また、底板１２２の外側につまみ１５０を設置することで、スライダ１４４をより軽く動かして、ロック１４２を切欠き１２６に後退させることができるので、取り付けた照明器具を取り外すことにも役立つ。
【００３０】
図２に示すように、係止素子１４０はつまみ１５０をさらに含み、つまみ１５０は底板１２２の外側に設置され、かつスライダ１４４と固定接続されている。
【００３１】
説明しておかなければならないが、本発明の実施例では、つまみ１５０の形状について具体的に限定しておらず、例に示すように、図２に示すような形状に設置してもよいし、円柱状や薄片状など、その他の形状に簡略化してもよい。
【００３２】
さらに、図３に示すように、係止素子１４０はロックピン１４７をさらに含み、ロックピン１４７は、プッシュロッド１４７５と、プッシュロッド１４７５の片端に設置されている当接部１４７３を含み、プッシュロッド１４７５はつまみ１５０と固定接続され、当接部１４７３はロック１４２に当接するために用いられる。
【００３３】
具体的には、プッシュロッド１４７５の片端は当接部１４７３の中央部と接続されており、ロック１４２と照明器具が係止した後の、係止の安定性を保証している。つまみ１５０を動かしてロックピン１４７の当接部１４７３を２つのロック１４２の間に当接させることで、ロック１４２が後退して正常な係止に影響することを防止し、係止の安定性を確保して、落下の危険性を小さくしている。
【００３４】
図４に示すように、ロック１４２は、対向して設置されている第１突起１４２１及び第２突起１４２３を含み、図５に示すように、グランド１３０上には第１突起１４２１に対応する第１凹溝１３１が設置されており、図６に示すように、底板１２２上には第２突起１４２３に対応する第２凹溝１２８が設置されており、第１凹溝１３１と第２凹溝１２８の延伸方向は一致している。
【００３５】
このようにすることで、ロック１４２が第１凹溝１３１及び第２凹溝１２８に沿って摺動することができ、それと同時に、第１突起１４２１が第１凹溝１３１内にあり、第２突起１４２３が第２凹溝１２８内にあるので、第１凹溝１３１及び第２凹溝１２８もロック１４２に対して位置を限定する作用を果たし、ロック１４２を固定区間で摺動させる。
【００３６】
図３及び図４に示すように、ロック１４２は台座１４２５をさらに含み、台座１４２５は第１斜面１４２７を含み、スライダ１４４は第２斜面１４４４を有する延伸部１４４２を含み、第１斜面１４２７が第２斜面１４４４に対向して摺動することにより、ロック１４２を第１凹溝１３１の延伸方向に沿って摺動させる。
【００３７】
具体的には、つまみ１５０を動かしてロックピン１４７を２つのロック１４２の間から後退させると、第２斜面１４４４が第１斜面１４２７に沿って摺動し、摺動の過程で、ロックピン１４７がロック１４２に対する当接状態を解除する。また、第２斜面１４４４の作用下で、２つのロック１４２を互いに接近させることで、ロック１４２を切欠き１２６に後退させる。最終的に、シーリングローゼット１００と照明器具の間で係止状体が解除されるので、照明器具をシーリングローゼット１００から取り外すことができる。
【００３８】
図３及び図６に示すように、スライダ１４４は第３凹溝１４４６を含み、底板１２２上には第３突起１２９が対応して位置しており、第３凹溝１４４６の延伸方向は第１凹溝１３１の延伸方向に垂直である。
【００３９】
上記の構造を採用することで、スライダ１４４が第３凹溝１４４６を介して第３突起１２９に沿って摺動し、それと同時に、第３突起１２９が第３凹溝１４４６内にあり、第３凹溝１４４６がスライダ１４４に対して位置を限定する作用を果たし、スライダ１４４を固定区間で摺動させる。また、第３凹溝１４４６の延伸方向は第１凹溝１３１の延伸方向に垂直なので、つまみ１５０が摺動する方向とスライダ１４４が摺動する方向を垂直にすると同時に、ロック１４２が互いに接近し、または離れることを制御しやすくし、接続構造を簡略化している。
【００４０】
図７に示すように、固定トレー１１０は、頂部が開口しているキャビティ１１２と、キャビティ１１２の開口辺縁に備えられ、外向きに延伸して設置されている取付パネル１１４を含み、キャビティ１１２底部にはノッチ１１６が設置されている。説明しておかなければならないが、本発明の実施例では、ノッチ１１６の形状について具体的に限定しておらず、実施例に示すように、矩形に設置してもよいし、他の形状に設置してもよい。
【００４１】
図２及び図７に示すように、キャビティ１１２の底部、グランド１３０及び底板１２２は、ボルト１６０を介して固定接続されている。
【００４２】
具体的には、図２及び図６に示すように、筐体１２０の底板１２２上に、ボルト１６０を穿設するためのベースが対応するように設置されており、ボルト１６０を用いて締付を行うので、着脱に便利で、しかもより堅固で信頼性がある。
【００４３】
図１及び図２に示すように、シーリングローゼット１００は接線端子１７０をさらに含み、接線端子１７０はグランド１３０上に設置され、かつノッチ１１６を通してキャビティ１１２内に配置されている。接線端子１７０上にはさらにコードが設置されており、取り付けた照明器具を電気接続することに役立つ。
【００４４】
本発明の実施例ではさらに、取付ベース及びシェードと、上記の任意の１項に記載のシーリングローゼット１００とを含む照明器具が公開されている。該照明器具は、前述の実施例中のシーリングローゼット１００と同様の構造及び有益な効果を有している。シーリングローゼット１００の構造及び有益な効果はすでに前述の実施例で詳細に説明しているので、ここでは繰り返し述べない。
【００４５】
以上で述べたことは本発明の好適な実施例にすぎず、本発明を限定するものではない。当業者であれば、本発明の各種の変更や修正を行うことはできるが、本発明の主旨及び原則内で行われる修正、同等の置換、改良などは、すべて本発明の保護範囲に含まれるものとする。
【符号の説明】
【００４６】
１００    シーリングローゼット
１１０    固定トレー
１１２    キャビティ
１１４    取付パネル
１１６    ノッチ
１２０    筐体
１２２    底板
１２４    側壁
１２６    切欠き
１２７    第２タブ
１２８    第２凹溝
１２９    第３突起
１３０    グランド
１３１    第１凹溝
１４０    係止素子
１４２    ロック
１４２１  第１突起
１４２３  第２突起
１４２５  台座
１４２７  第１斜面
１４４    スライダ
１４４２  延伸部
１４４４  第２斜面
１４４６  第３凹溝
１４６    バネ
１４７    ロックピン
１４７３  当接部
１４７５  プッシュロッド
１４８  第１タブ
１５０  つまみ
１６０  ボルト
１７０  接線端子
【図１】
2020194692.tif 000003
【図２】
2020194692.tif 000004
【図３】
2020194692.tif 000005
【図４】
2020194692.tif 000006
【図５】
2020194692.tif 000007
【図６】
2020194692.tif 000008
【図７】
2020194692.tif 000009
【外国語明細書】
2020194692000001.pdf